(57)【特許請求の範囲】
【請求項１】
ラック本体に栽培物載置棚を上下複数段に設置したラックと、各栽培物載置棚の上方にそれぞれ位置して栽培物載置棚の栽培物を照射する複数の照明器具と、これら照明器具を前記ラック本体に対して上下位置変更可能に支持する照明器具昇降機構とを備え、前記照明器具昇降機構は、前記ラック本体に取付けられて前記照明器具を持ち上げ付勢する昇降用ユニットと、前記ラック本体に上下の取付位置が可変に取付けられて前記照明器具の上昇を止める照明ストッパー具とでなり、前記照明器具は、反射板および複数の光源保持具を有し前記ラック本体の幅方向に延びる器具本体と、前記各光源保持具に保持された複数の光源とを有し、前記昇降用ユニットおよび前記照明ストッパー具が前記ラック本体の幅方向の複数箇所に設けられ、前記昇降用ユニットは、上下のフレームおよびこれら上下のフレームを連結する複数のリンクを有し前記上下のフレームが前記ラック本体と照明器具の器具本体にそれぞれ取付けられる平行リンク機構と、前記上下のフレーム間に設けられて上側フレームに対して下側フレームをばね部材によって持ち上げ付勢する持ち上げ力付与機構とでなる照明付き栽培システム。
【請求項２】
ラック本体に栽培物載置棚を上下複数段に設置したラックと、各栽培物載置棚の上方にそれぞれ位置して栽培物載置棚の栽培物を照射する複数の照明器具と、これら照明器具を前記ラック本体に対して上下位置変更可能に支持する照明器具昇降機構とを備え、前記照明器具昇降機構は、前記ラック本体に取付けられて前記照明器具を持ち上げ付勢する昇降用ユニットと、前記ラック本体に上下の取付位置が可変に取付けられて前記照明器具の上昇を止める照明ストッパー具とでなり、前記照明ストッパー具は、前記ラック本体の縦フレームを挟付け力解除可能に挟み付けて挟付け力解除状態で上下に位置変更可能な挟付け具と、前記照明器具に係合するストッパー片とでなる照明付き栽培システム。
【請求項３】
請求項２に記載の照明付き栽培システムにおいて、前記照明器具は、反射板および複数の光源保持具を有し前記ラック本体の幅方向に延びる器具本体と、前記各光源保持具に保持された複数の光源とを有し、前記昇降用ユニットおよび前記照明ストッパー具が前記ラック本体の幅方向の複数箇所に設けられた照明付き栽培システム。
【請求項４】
請求項３に記載の照明付き栽培システムにおいて、前記昇降用ユニットは、上下のフレームおよびこれら上下のフレームを連結する複数のリンクを有し前記上下のフレームが前記ラック本体と照明器具の器具本体にそれぞれ取付けられる平行リンク機構と、前記上下のフレーム間に設けられて上側フレームに対して下側フレームをばね部材によって持ち上げ付勢する持ち上げ力付与機構とでなる照明付き栽培システム。
【発明の詳細な説明】
【技術分野】
【０００１】
この発明は、植物工場等に設置される照明付き栽培システムに関する。
【背景技術】
【０００２】
植物工場では、単位面積あたりの栽培数を増やすため、一般的に栽培部分を多段とした多段式栽培システムが用いられている。多段式栽培システムにおける各段の栽培部分には、栽培する植物の大きさに関係なく、植物の光合成を促進するための照明器具（蛍光灯、ＬＥＤ、高圧Ｎａランプなど）が所定の位置に取付けられている。このため、照明器具から栽培部分に照射される光の照度は常に一定となる。
【先行技術文献】
【特許文献】
【０００３】
【特許文献１】特開２０１１−５０２８８号公報
【特許文献２】特開平８−２６６１５２号公報
【特許文献２】特開平６−１９７６７３号公報
【発明の概要】
【発明が解決しようとする課題】
【０００４】
しかし、上記した従来の多段式栽培システムでは、栽培する植物の大きさに関係なく、常に一定位置に取付けられた照明器具により光が植物体に照射される。そのため、栽培する植物体が小さい時点に合わせて必要照度を設定すると、成長により植物体が大きくなった時点で、必要照度以上の光を照射することになる。あるいは、植物体が大きくなった時点に合わせて必要照度を設定すると、植物体が小さいときには照度不足となる。また、植物体の大きさに関係なく、必要に応じて照度を設定・調整する場合は、照明器具に対する照度制御が必要になるため、設備コストが増大するという問題が生じる。
【０００５】
この発明の目的は、栽培する植物体の成長による大きさ変化等に関係なく、常に必要照度の光を植物体に照射でき、設備コストも抑制できる照明付き栽培システムを提供することである。
【課題を解決するための手段】
【０００６】
この発明の照明付き栽培システムは、基本構成として、ラック本体に栽培物載置棚を上下複数段に設置したラックと、各栽培物載置棚の上方にそれぞれ位置して栽培物載置棚の栽培物を照射する複数の照明器具と、これら照明器具を前記ラック本体に対して上下位置変更可能に支持する照明器具昇降機構とを備える。
【０００７】
この構成によると、照明器具を前記ラック本体に対して上下位置変更可能に支持する照明器具昇降機構を備えるため、栽培する植物体の成長による大きさの変化に対して、高さ調整するだけで、常に必要照度の光を植物体に照射できる。そのため、制御装置などの過剰な設備が要らず簡易な設備で対応できるため、設備コストも抑制できる。また、必要照度を大きくする場合には、照明器具を栽培する植物体に近接させることで対応できるため、照明器具の負荷を下げることができる。さらに、照度の調整には熟練を要せず誰でも使用できる。
【０００８】
前記照明器具昇降機構は、前記ラック本体に取付けられて前記照明器具を持ち上げ付勢する昇降用ユニットと、前記ラック本体に上下の取付位置が可変に取付けられて前記照明器具の上昇を止める照明ストッパー具とでなる。
このように構成した場合、照明器具の重量が昇降用ユニットで持ち上げ付勢されるため、作業者が手作業で上下位置変更を行うにつき、照明器具を支えておく必要がなく、位置変更作業が容易である。
【０００９】
前記照明器具は、反射板および複数の光源保持具を有し前記ラック本体の幅方向に延びる器具本体と、前記各光源保持具に保持された複数の光源とを有し、前記昇降用ユニットおよび前記照明ストッパー具が前記ラック本体の幅方向の複数箇所に設けられていても良い。
【００１０】
前記昇降用ユニットは、上下のフレームおよびこれら上下のフレームを連結する複数のリンクを有し前記上下のフレームが前記ラック本体と照明器具の器具本体にそれぞれ取付けられる平行リンク機構と、前記上下のフレーム間に設けられて上側フレームに対して下側フレームをばね部材によって持ち上げ付勢する持ち上げ力付与機構とでなるものとしても良い。
このように、平行リンク機構を用いて昇降用ユニットを構成した場合、照明器具を前後や左右に位置ずれすることなく昇降させられる。また、周囲に位置ずれ防止用のガイドを設ける場合に比べ、平行リンク機構によると構成がコンパクトになる。
【００１１】
前記照明ストッパー具は、前記ラック本体の縦フレームを挟付け力解除可能に挟み付けて挟付け力解除状態で上下に位置変更可能な挟付け具と、前記照明器具に係合するストッパー片とでなるものとしても良い。
このように照明ストッパー具を構成した場合、照明器具の上昇を止める作業を容易に行うことができる。
【発明の効果】
【００１２】
この発明の第１および第２の照明付き栽培システムは、いずれもラック本体に栽培物載置棚を上下複数段に設置したラックと、各栽培物載置棚の上方にそれぞれ位置して栽培物載置棚の栽培物を照射する複数の照明器具と、これら照明器具を前記ラック本体に対して上下位置変更可能に支持する照明器具昇降機構とを備えるため、栽培する植物体の成長等による大きさに関係なく、常に必要照度の光を植物体に照射でき、設備コストも抑制できる。
前記照明器具昇降機構は、前記ラック本体に取付けられて前記照明器具を持ち上げ付勢する昇降用ユニットと、前記ラック本体に上下の取付位置が可変に取付けられて前記照明器具の上昇を止める照明ストッパー具とでなるため、作業者が手作業で上下位置変更を行うにつき、照明器具を支えておく必要がなく、位置変更作業が容易である。
この発明における第１の照明付き栽培システムは、さらに、前記照明器具が、反射板および複数の光源保持具を有し前記ラック本体の幅方向に延びる器具本体と、前記各光源保持具に保持された複数の光源とを有し、前記昇降用ユニットおよび前記照明ストッパー具が前記ラック本体の幅方向の複数箇所に設けられていて、さらに前記昇降用ユニットは、上下のフレームおよびこれら上下のフレームを連結する複数のリンクを有し前記上下のフレームが前記ラック本体と照明器具の器具本体にそれぞれ取付けられる平行リンク機構と、前記上下のフレーム間に設けられて上側フレームに対して下側フレームをばね部材によって持ち上げ付勢する持ち上げ力付与機構とでなるため、照明器具を前後や左右に位置ずれすることなく昇降させられる。また、周囲に位置ずれ防止用のガイドを設ける場合に比べ、平行リンク機構によると構成がコンパクトになる。
この発明における第２の照明付き栽培システムは、前記照明ストッパー具が、前記ラック本体の縦フレームを挟付け力解除可能に挟み付けて挟付け力解除状態で上下に位置変更可能な挟付け具と、前記照明器具に係合するストッパー片とでなるため、照明器具の上昇を止める作業を容易に行うことができる。
【図面の簡単な説明】
【００１３】
【図１】（Ａ）はこの発明の一実施形態に係る照明付き栽培システムを正面側から見た斜視図、（Ｂ）は同照明付き栽培システムを背面側から見た斜視図である。
【図２】同栽培システムの正面図である。
【図３】同栽培システムの右側面図である。
【図４】同栽培システムの背面図である。
【図５】（Ａ）は同栽培システムの平面図、（Ｂ）は同栽培システムにおけるラック本体の横フレームの断面図、（Ｃ）は同ラック本体の縦フレームの断面図である。
【図６】（Ａ）は同栽培システムの照明器具を下方位置に設定した状態で示す図２のVI− VI 矢視断面図、（Ｂ）は同栽培システムの照明器具を上方位置に設定した状態で示す図２のVI− VI 矢視断面図である。
【図７】図５（Ａ）のVII −VII 矢視断面図である。
【図８】（Ａ）は同栽培システムの照明器具を上方位置に設定した状態で示す斜視図、（Ｂ）は同栽培システムの照明器具を下方位置に設定した状態で示す斜視図である。
【図９】同栽培システムにおける照明器具の断面図である。
【図１０】同栽培システムにおける照明器具と照明器具昇降機構とを示す斜視図である。
【図１１】（Ａ）は同栽培システムにおける照明器具昇降機構が照明器具を下方位置で支持する状態を上方から見た斜視図、（Ｂ）は同照明器具昇降機構を下方から見た斜視図である。
【図１２】（Ａ）は照明器具昇降機構が照明器具を下方位置で支持する状態を示す正面図、（Ｂ）は同側面図である。
【図１３】図１２（Ｂ）のXIII−XIII矢視断面図である。
【図１４】（Ａ）は同栽培システムにおける照明器具昇降機構が照明器具を上方位置で支持する状態を上方から見た斜視図、（Ｂ）は同照明器具昇降機構を下方から見た斜視図である。
【図１５】（Ａ）は同栽培システムにおける照明器具昇降機構が照明器具を上方位置で支持する状態を示す正面図、（Ｂ）は同側面図、（Ｃ）は同平面図、（Ｄ）は同底面図である。
【図１６】図１５（Ｂ）のXV1 −XVI 矢視断面図である。
【図１７】（Ａ）は図１５（Ａ）のXVIIa −XVIIa 矢視断面図、（Ｂ）は図１５（Ａ）のXVIIb −XVIIb 矢視断面図、（Ｃ）は図１５（Ａ）のXVIIc −XVIIc 矢視断面図、（Ｄ）は図１５（Ａ）のXVIId −XVIId 矢視断面図である。
【図１８】（Ａ）（Ｂ）はそれぞれ同栽培システムにおける照明ストッパー具の設置部を示す斜視図である。
【図１９】（Ａ）は同照明ストッパー具を正面側から見た斜視図、（Ｂ）は同照明ストッパー具を背面側から見た斜視図である。
【図２０】（Ａ）は同照明ストッパー具の平面図、（Ｂ）は同正面図である。
【図２１】図２０（Ｂ）のXXI −XXI 矢視断面図である。
【図２２】（Ａ）は同照明ストッパー具の右側面図、（Ｂ）は同背面図である。
【発明を実施するための形態】
【００１４】
この発明の一実施形態を図１〜図２２と共に説明する。図１（Ａ），（Ｂ）は、この実施形態の照明付き栽培システムを正面側および背面側から見た斜視図を示し、図２，図３，図４および図５（Ａ）は、正面図，右側面図，背面図および平面図を示す。この照明付き栽培システムは、植物工場内に設置されて植物の栽培に供される多段式栽培システムであって、ラック本体２に栽培物載置棚３を上下複数段に設置したラック１と、各栽培物載置棚３の上方にそれぞれ位置して栽培物載置棚３の栽培物を照射する複数の照明器具４（図６）と、これら照明器具４を前記ラック本体２に対して上下位置変更可能に支持する照明器具昇降機構５とを備える。
【００１５】
前記ラック本体２は、左右両端の前後位置に立設される複数本の縦フレーム１４と、幅方向に延びて前部左右の縦フレーム１４，１４間、および後部左右の縦フレーム１４，１４間を連結する上下複数段の幅方向横フレーム１５と、奥行き方向に延びて左部前後の縦フレーム１４，１４間、および右部前後の縦フレーム１４，１４間を連結する上下複数段の奥行き方向横フレーム１６とにより構成される。なお、図５（Ｂ）には奥行き方向横フレーム１５の断面図を示し、図５（Ｃ）には縦フレーム１４の断面図を示す。
【００１６】
前記栽培物載置棚３は、図示の例では上下４段に設置される。各段の栽培物載置棚３は、それぞれ前記ラック本体２の幅方向横フレーム１５および奥行き方向横フレーム１６を構成部材の一部として共用し、さらに前後の幅方向横フレーム１５，１５間に幅方向に並ぶ複数本の桟部材１７を連結して構成される。これら各段の栽培物載置棚３には図２のように栽培用トレイ１３が載置される。また、この照明付き栽培システムの真下には、図２のように養液タンク１８が配置され、ラック本体２に沿って配管された養液給水パイプ１９および養液給水用バルブ２０（図２，図５，図６）を経て各栽培物載置棚３上の栽培用トレイ１３に養液が供給される。
【００１７】
各段の栽培物載置棚３に対応してそれらの栽培物載置棚３の上方に照明器具４が設けられる。この照明器具４は、図９および図１０に断面図および斜視図で示すように、照明反射板７および複数の光源保持具８を有し前記ラック本体２の幅方向に延びる器具本体６と、前記各光源保持具８に保持された複数の光源９とを有する。光源保持具８は、光源９に電気的に接続する端子（図示せず）を有するソケット等である。光源９は、例えば丸棒状の蛍光灯やＬＥＤランプからなる。各光源９は、照明反射板７の裏面に前後方向に並べて平行に取付けられる。照明反射板７の反射面となる裏面には白色塗装が施される。照明反射板７はその前後端に下向きの折り曲げ部７ａを有し、前端の折り曲げ部７ａの前面には、照明器具４の高さ位置を調整する作業のための取手１０が設けられている。これにより、照明器具４からの光が栽培物載置棚３の植物に効率良く照射される。なお、図１に示すように、ラック本体２の両側面と背面には側面反射板１１と背面反射板１２が設けられ、これにより照明器具４からの光がより効率良く植物に照射される。
【００１８】
図１の照明器具昇降機構５は、図１０，図１１に斜視図で示す昇降用ユニット２１と、図１８に拡大した斜視図で示す照明ストッパー具２２とでなる。昇降用ユニット２１は、図５（Ａ）および同図のVII −VII 矢視断面図を示す図７のように、ラック本体２における各段の前後の幅方向横フレーム１５，１５間に跨がって取付けられ、各段の照明器具４を持ち上げ付勢する。ここでは、各段の照明器具４に対して２つの昇降用ユニット２１が用いられ、それらの昇降用ユニット２１は幅方向に並べて配置される。図８のように、照明ストッパー具２２は、ラック本体２の前部の左右両端に、上下の取付位置が可変に取付けられて各段の照明器具４の上昇を止めるものである。
【００１９】
昇降用ユニット２１は、図１２（Ａ），（Ｂ）に正面図および側面図で示すように、平行リンク機構２３と、持ち上げ力付与機構２４とでなる。平行リンク機構２３は、上下のフレーム２５，２６と、これら上下のフレーム２５，２６を連結する複数（ここでは２つ）のリンク２７Ａ，２７Ｂを有する。上側フレーム２５はラック本体２の前後の幅方向横フレーム１５に直接取付けられ、下側フレーム２６は照明器具４の器具本体６を構成する照明反射板７の上面に取付けられる。リンク２７Ａ，２７Ｂは、互いに交差する中間部で回動自在に枢着され、片方のリンク２７Ａは、その下端が下側フレーム２６に回動自在に連結され、上端が上側フレーム２５の長手方向に延びるガイド長孔２５ａに、そのガイド長孔２５ａに沿って移動自在に係合している。また、もう片方のリンク２７Ｂは、その上端が上側フレーム２５に回動自在に連結され、下端が下側フレーム２６の長手方向に延びるガイド長孔２６ａに、そのガイド長孔２６ａに沿って移動自在に係合している。この平行リンク機構２３により、照明器具４はラック本体２に対して上下に位置調整可能に支持される。
【００２０】
持ち上げ力付与機構２４は、前記平行リンク機構２３の上下のフレーム２５，２６間に設けられて上側フレーム２５に対して下側フレーム２６をばね部材２４ａによって持ち上げ付勢する機構である。ここでは、持ち上げ力付与機構２４は巻取式の構成とされ、巻取り側に付勢される可撓性の帯材２８の一端を平行リンク機構２３の上側フレーム２５に取付け、その帯材２８の他端を平行リンク機構２０の下側フレーム２３に止め部材２９（図１３）で止着して構成される。ばね部材２４ａは、例えばゼンマイばねからなる。
【００２１】
なお、図１２は前記平行リンク機構２３の下側フレーム２６が上側フレーム２５に対して下側に離間した状態の昇降用ユニット２１を示す。図１１（Ａ）はその状態の昇降用ユニット２１を上側から見た斜視図を、図１１（Ｂ）は下側から見た斜視図をそれぞれ示し、図１３は図１２（Ｂ）のXIII− XIII 矢視断面図を示す。また、図１４（Ａ）は前記平行リンク機構２３の下側フレーム２６が上側フレーム２５に近接した状態の昇降用ユニット２１を上側から見た斜視図を、図１４（Ｂ）は下側から見た斜視図をそれぞれ示し、図１５（Ａ）〜（Ｄ）はその状態の昇降用ユニット２１の正面図、側面図、平面図および底面図をそれぞれ示し、図１６は図１５（Ｂ）のXVI −XVI 矢視断面図を示す。
【００２２】
図１７（Ａ）〜（Ｄ）は、図１５（Ａ）のXVIIa − XVIIa矢視断面図、 XVIIb−XVIIb 矢視断面図、XVIIc −XVIIc 矢視断面図、およびXVIId − XVIId矢視断面図をそれぞれ示す。これらの図面を参照して、前記昇降用ユニット２１の構成の詳細を以下に説明する。  図１７（Ａ）のように、平行リンク機構２３の断面コ字状とされたリンク２７Ａの上端が同じく断面コ字状とされた上側フレーム２５内に配置され、そのリンク２７Ａの上端で幅方向に貫通するガイド軸３０が上側フレーム２５のガイド長孔２５ａに係合している。前記ガイド軸３０には、上側フレーム２５の内壁面とリンク２７Ａの外壁面との間に介在する樹脂ブッシュ３１および樹脂ワッシャー３２と、上側フレーム２５のガイド長孔２５ａに接する樹脂カラー３３がそれぞれ装着され、別にガイド軸３０に装着されて上側フレーム２５の外壁面に接するプッシュナット３４により、ガイド軸３０が抜け止めされている。平行リンク機構２３の断面コ字状とされたもう一方のリンク２７Ｂの下端も、同じく断面コ字状とされた下側フレーム２６内に配置され、そのリンク２７Ｂの下端で幅方向に貫通するガイド軸３５が下側フレーム２６のガイド長孔２６ａに係合している。前記ガイド軸３５には、下側フレーム２６の内壁面とリンク２７Ｂの外壁面との間に介在する樹脂ブッシュ３６と、下側フレーム２６のガイド長孔２６ａに接する樹脂カラー３７がそれぞれ装着され、別にガイド軸３５に装着されて下側フレーム２６の外壁面に接するプッシュナット３８により、ガイド軸３５が抜け止めされている。
【００２３】
図１７（Ｂ）のように、平行リンク機構２３の両リンク２７Ａ，２７Ｂの交差部では、両リンク２７Ａ，２７Ｂを幅方向に貫通する支軸３９が設けられ、この支軸３９にはリンク２７Ａの外壁面とリンク２７Ｂの内壁面との間に介在する樹脂ブッシュ４０と、リンク２７Ｂの外壁面に接する樹脂ブッシュ４１がそれぞれ装着され、別に支軸３９に装着されて前記樹脂ブッシュ４１に接するプッシュナット４２により、支軸３９が抜け止めされている。
【００２４】
図１７（Ｃ）のように、平行リンク機構２３のリンク２７Ｂが上側フレーム２５に回動自在に連結される部分では、上側フレーム２５およびリンク２７Ｂをそれらの幅方向に貫通する支軸４３が設けられ、その支軸４３には、上側フレーム２５の内壁面とリンク２７Ｂの外壁面との間に介在する樹脂ブッシュ４４と、上側フレーム２５の外壁面に接する樹脂ブッシュ４５がそれぞれ装着され、別に支軸４３に装着されて前記樹脂ブッシュ４５に接するプッシュナット４６により、支軸４３が抜け止めされている。また、もう一方のリンク２７Ａが下側フレーム２６に枢着される部分では、下側フレーム２６およびリンク２７Ａをそれらの幅方向に貫通する支軸４７が設けられ、その支軸４７には、下側フレーム２６の内壁面とリンク２７Ａの外壁面との間に介在する樹脂ブッシュ４８および樹脂ワッシャー６３と、下側フレーム２６の外壁面に接する樹脂ブッシュ４９がそれぞれ装着され、別に支軸４７に装着されて前記樹脂ブッシュ４９に接するプッシュナット５０により、支軸４７が抜け止めされている。
【００２５】
図１７（Ｄ）のように、平行リンク機構２３の上側フレーム２５における持ち上げ力付与機構２４の取付け部では、上側フレーム２５をその幅方向に貫通する巻取り軸５１が設けられ、その巻取り軸５１の両端部には上側フレーム２５の軸貫通孔に接する樹脂カラー５２が装着され、巻取り軸５１の両端部に螺合するキャップボルト５３により、巻取り軸５１が抜け止めされている。キャップボルト５３の頭部と巻取り軸５１の端面との間には座金７１が介在させてある。
【００２６】
前記照明ストッパー具２２は、図１９（Ａ），（Ｂ）に前方から見た斜視図および後方から見た斜視図を示すように、ラック本体２の縦フレーム１４を挟付け力解除可能に挟み付けて挟付け力解除状態で上下に位置変更可能な挟付け具５４と、前記照明器具４に係合するストッパー片５５とでなる。この照明ストッパー具２２は、ラック本体２の幅方向の複数箇所に設けられる。具体的には、ラック本体２の前方の左右両端の縦フレーム１４に設けられる。図２０（Ａ），（Ｂ）は照明ストッパー具２２の平面図および正面図を示し、図２１は図２０（Ａ）のXXI −XXI 矢視断面図を示し、図２２（Ａ），（Ｂ）は右側面図および背面図を示す。
【００２７】
前記挟付け具５４は挟付け具本体５６とノブ５７とでなる。挟付け具本体５６は、図２０（Ａ）に示すように、その一側面の幅方向中間部から他側面の近傍まで延びる縦割れ部５８により前面板部５６ａと背面板部５６ｂとに分けられた二股状の部材である。この挟付け具本体５６の前記縦割れ部５８が開口する一側面の前後の部分には、ラック本体２の縦フレーム１４を挟む一対のフランジ部５６ｃが形成されている。ラック本体２の前方の左右両端の縦フレーム１４には、図１８に示すように、ラック本体２の内側に突出して縦方向に延びる突条５９ａを有するストッパーガイド部材５９が併設され、このストッパーガイド部材５９の突条５９ａに前記挟付け具本体５６の両フランジ部５６ｃが挟み付けられる。
【００２８】
図２１に示すように、挟付け具５４のノブ５７は、前記挟付け具本体５６の前面板部５６ａおよび背面板部５６ｂを貫通する締付けボルト５７ａを有し、この締付けボルト５７ａが前記背面板部５６ｂの背面側に配置されたナット６０に螺合している。前記締付けボルト５７ａの前記ナット６０への螺合の度合いをノブ５７を廻して調整することにより、前記ストッパーガイド部材５９に対する挟付け具５４の挟付け力を強めたり挟付け力を解除したりすることができる。ストッパー片５５は、その一端を挟付け具本体５６の背面においてボルト６１とナット６２で締め付けることにより、挟付け具５４に連結されている。図２０（Ｂ）のように、ストッパー片５５の他端には、照明器具４の器具本体６の上面角部に係合する係合用切欠き部５５ａが形成されている。
【００２９】
この照明付き栽培システムにおいて、各段の照明器具４を対応する栽培物載置棚３に近接した下位置に位置調整したいときには、各段の昇降用ユニット２１における平行リンク機構２３を、その下側フレーム２６が上側フレーム２５から離間するように調整する。これに併せて、昇降ユニット２１における持ち上げ力付与機構２４からその持ち上げ力に抗して帯材２８が繰り出される。そのままでは、持ち上げ力付与機構２４の持ち上げ力によって照明器具４は上位置に戻ろうとするので、挟付け具５４もストッパーガイド部材５９に沿って下位置にずらし、そのストッパー片５５が照明器具６の器具本体６上面に当接する位置で、挟付け具５４をストッパーガイド部材５９に挟み付けて固定する。図６（Ａ）は、この位置調整の状態を図２のVI−VI矢視断面図として示している。
【００３０】
逆に、図６（Ａ）の状態から、各段の照明器具４を対応する栽培物載置棚３から離間した上位置に位置調整したいときには、先ず挟付け具５４をストッパーガイド部材５９に沿って上位置にずらしておいて、各段の昇降用ユニット２１における平行リンク機構２３を、その下側フレーム２６が上側フレーム２５に近接するように調整する。図６（Ｂ）は、この位置調整の状態を図２のVI−VI矢視断面図として示している。
【００３１】
このように、この照明付き栽培システムでは、ラック本体２に栽培物載置棚３を上下複数段に設置したラック１と、各栽培物載置棚３の上方にそれぞれ位置して栽培物載置棚３の栽培物を照射する複数の照明器具４と、これら照明器具４を前記ラック本体２に対して上下位置変更可能に支持する照明器具昇降機構５とを備えているので、栽培する植物体の大きさに関係なく、常に必要照度の光を植物体に照射できる。また、制御装置などの過剰な設備が要らず簡易な設備で対応できるため、設備コストも抑制できる。また、必要照度を大きくする場合には、照明器具４を栽培する植物体に近接させることで対応できるため、照明器具４の負荷を下げることができる。さらに、照度の調整には熟練を要せず誰でも使用できる。
【００３２】
また、この実施形態では、前記照明器具昇降機構５が、ラック本体２に取付けられて照明器具４を持ち上げ付勢する昇降用ユニット２１と、ラック本体２に上下の取付位置が可変に取付けられて照明器具４の上昇を止める照明ストッパー具２２とでなるので、照明器具４の重量が昇降用ユニット２１で持ち上げ付勢される。このため、作業者が手作業で上下位置変更を行うにつき、照明器具４を支えておく必要がなく、位置変更作業が容易である。
【００３３】
また、この実施形態では、前記昇降用ユニット２１が、上下のフレーム２５，２６およびこれら上下のフレーム２５，２６を連結する複数のリンク２７Ａ，２７Ｂを有し前記上下のフレーム２５，２６がラック本体２と照明器具４の器具本体６にそれぞれ取付けられる平行リンク機構２３と、前記上下のフレーム２５，２６間に設けられて上側フレーム２５に対して下側フレーム２６をばね部材によって持ち上げ付勢する持ち上げ力付与機構２４とでなるため、照明器具４を前後や左右に位置ずれすることなく昇降させられる。また、周囲に位置ずれ防止用のガイドを設ける場合に比べ、平行リンク機構２３によると構成がコンパクトになる。
【００３４】
また、この実施形態では、前記照明ストッパー具２２が、ラック本体２の縦フレーム１４（具体的には、縦フレーム１４に併設されるストッパーガイド部材５９）を挟付け力解除可能に挟み付けて挟付け力解除状態で上下に位置変更可能な挟付け具５４と、照明器具４に係合するストッパー片５５とでなるので、照明器具４の上昇を止める作業を容易に行うことができる。
【符号の説明】
【００３５】
１…ラック
２…ラック本体
３…栽培物載置棚
４…照明器具
５…照明器具昇降機構
６…器具本体
７…照明反射板
８…光源保持具
９…光源
２１…昇降用ユニット
２２…照明ストッパー具
２３…平行リンク機構
２４…持ち上げ力付与機構
２５…上側フレーム
２６…下側フレーム
２７Ａ，２７Ｂ…リンク
５４…挟付け具
５５…ストッパー片
【図１】
0005875806.tif 000002
【図２】
0005875806.tif 000003
【図３】
0005875806.tif 000004
【図４】
0005875806.tif 000005
【図５】
0005875806.tif 000006
【図６】
0005875806.tif 000007
【図７】
0005875806.tif 000008
【図８】
0005875806.tif 000009
【図９】
0005875806.tif 000010
【図１０】
0005875806.tif 000011
【図１１】
0005875806.tif 000012
【図１２】
0005875806.tif 000013
【図１３】
0005875806.tif 000014
【図１４】
0005875806.tif 000015
【図１５】
0005875806.tif 000016
【図１６】
0005875806.tif 000017
【図１７】
0005875806.tif 000018
【図１８】
0005875806.tif 000019
【図１９】
0005875806.tif 000020
【図２０】
0005875806.tif 000021
【図２１】
0005875806.tif 000022
【図２２】
0005875806.tif 000023